(57)【要約】【課題】従来のコイン型電気化学セルでは、電極ケースに端子を取り付けた場合、電極ケースに表示されていた製品表示が端子に隠れてしまうことがあり、製品表示の識別が困難であった。【解決手段】電極ケース底面あるいは側面に製品表示を２箇所以上表示した。さらに、少なくとも２箇所の製品表示について、製品表示の中心から電極ケース底面の中心までの距離を電気化学セル直径Ｄに対して、０．３２×Ｄ以上とし、互いに１２０〜２４０度の位置に配置した。また、端子寸法を幅０．５×Ｄ以下、電極ケース底面部を覆う部分の長さ０．７５×Ｄ以下とし、端子端部コーナー形状をＲ又はＣ０．２５×Ｄ以下とした。これによって、端子取り付け後でも製品表示の識別が容易なコイン型電気化学セルを提供できるようになった。【選択図】    図１
2004327281.tif 000002
【特許請求の範囲】
【請求項１】
発電要素を収納し、少なくとも一方の電極ケースに文字列、図形、マーク等の製品表示のあるコイン型電気化学セルにおいて、少なくとも一方の電極ケースに同一内容の製品表示が２箇所以上表示されていることを特徴とするコイン型電気化学セル。
【請求項２】
前記製品表示が前記電極ケースの底面にあることを特徴とする請求項１に記載のコイン型電気化学セル。
【請求項３】
前記製品表示の少なくとも２箇所は、製品表示の中心から電極ケース底面の中心までの距離が電気化学セル直径Ｄに対して０．３２×Ｄ以上あることを特徴とする請求項２に記載のコイン型電気化学セル。
【請求項４】
前記製品表示の少なくとも２箇所は、一方の製品表示が他方の製品表示に対して電極ケース底面の中心を基準として１２０〜２４０度の位置にあることを特徴とする請求項３に記載のコイン型電気化学セル。
【請求項５】
前記２箇所以上の製品表示が、前記電極ケースの底面に設けられた第一の製品表示と、前記電極ケースの側面にある第二の製品表示を有することを特徴とする請求項１に記載のコイン型電気化学セル。
【請求項６】
前記第一の製品表示は、前記第一の製品表示の中心から前記電極ケースの底面の中心までの距離が電気化学セルの直径Ｄに対して０．３２×Ｄ以上離れた位置にあり、前記第二の製品表示は、正極ケース底面の中心を基準にして前記第一の製品表示の反対側の位置に設けられたことを特徴とする請求項５に記載のコイン型電気化学セル。
【請求項７】
製品表示のある電極ケース底面に端子が取り付けられていることを特徴とする請求項１〜６のいずれか一項に記載のコイン型電気化学セル。
【請求項８】
前記端子の大きさが、電気化学セル直径Ｄに対して、幅Ｗ≦０．５×Ｄ、電極ケース底面部を覆う部分の長さＴ≦０．７５×Ｄであり、電極ケース底面上の端部コーナー形状がＲ状でＲ０．２５×Ｄ以下またはＣ面状でＣ０．２５×Ｄ以下であることを特徴とする請求項７に記載のコイン型電気化学セル。
【発明の詳細な説明】
【０００１】
【発明の属する技術分野】
本発明は、電池やキャパシタなどのコイン型電気化学セルにおける製品表示の識別に関する。
【０００２】
【従来の技術】
近年、コイン型リチウムイオン二次電池などに代表される電気化学セルは、携帯電子機器の普及に伴い、端子先端部に半田メッキを施した端子付きの形態で実装基板上に載せて半田付けする表面実装タイプが主流になってきている。
【０００３】
従来の端子付き電気化学セルは、既存の電気化学セルを流用して様々な形状の端子を取り付けており、端子が電気化学セル本体を覆うなど（例えば、特許文献１参照。）、電気化学セル本体に表示されている製品表示の識別について特別な配慮はなされていなかった。
【０００４】
【特許文献１】
特開平１１−４０１７４号公報（第３頁、第１図）
【０００５】
【発明が解決しようとする課題】
従来のコイン型電気化学セルでは、端子を取り付ける際、電気化学セル本体に表示した製品名や極性などの製品表示は、端子との相対的な位置が限定されず、表示が端子に隠され、見えなくなる場合があった。これは、電気化学セル本体の製品表示が端子なしの形態で使用される場合のみを考慮して配置されているためである。そのため、端子取り付け後は、表示の視認性を犠牲にするか、再度表示を施しコストアップになるなどの問題点があった。したがって、端子の有無に係わらず製品表示の識別が容易なコイン型電気化学セルが望まれていた。
【０００６】
【課題を解決するための手段】
上記の問題点を解決するために、本発明は、少なくとも一方の電極ケースに同一内容の製品表示を２箇所以上表示することにした。さらに、製品表示の位置を電極ケースの底面とした。さらに、２箇所の製品表示を、製品表示の中心から電極ケース底面の中心までの距離が電気化学セル直径Ｄに対して０．３２×Ｄ以上離れた位置に配置した。あるいは、製品表示の少なくとも２箇所は、一方の製品表示が他方の製品表示に対して電極ケース底面の中心を基準として１２０〜２４０度の位置に配置した。
【０００７】
あるいは、２箇所以上の製品表示が、電極ケースの底面に設けられた第一の製品表示と、電極ケースの側面に設けられた第二の製品表示を有することとした。さらに、第一の製品表示は、前記第一の製品表示の中心から前記電極ケースの底面の中心までの距離が電気化学セルの直径Ｄに対して０．３２×Ｄ以上離れた位置にあり、第二の製品表示は、正極ケース底面の中心を基準にして第一の製品表示の反対側の位置に設けられることとした。
【０００８】
また、電極ケースの底面に端子が取り付けられていることとした。さらに、端子の大きさが、電気化学セル直径Ｄに対して、幅Ｗ≦０．５×Ｄ、電極ケース底面部を覆う部分の長さＴ≦０．７５×Ｄとし、電極ケース底面上の端部コーナー形状がＲ状でＲ０．２５×Ｄ以下又はＣ面状でＣ０．２５×Ｄ以下とした。
【０００９】
このような構成によれば、端子を取り付けた場合、一方の製品表示が端子に隠れて見えなくなっても他方の製品表示は端子に隠れることなく確認することができ、端子取り付け後に再度表示を施す必要もない。
【００１０】
【発明の実施の形態】
本発明によれば、コイン型電気化学セルの少なくとも一方の電極ケースに同一内容の製品表示を２箇所以上表示することにより、端子取り付け時の識別が容易になる。製品表示の位置は電極ケースの底面あるいは側面とした。
【００１１】
製品表示は、取り付けられる端子形状に応じて配置するが、製品表示の中心から電極ケース底面の中心までの距離が電気化学セル直径Ｄに対して０．３２×Ｄ以上あるいは側面に配置すれば、端子取り付けが容易になる。特に、底面に表示する場合は、できるだけ外周寄りに表示することが効果的である。
【００１２】
さらに、製品表示の少なくとも２箇所は、一方の製品表示が他方の製品表示に対して電極ケース底面の中心を基準として、１２０〜２４０度の位置に配置させた。これは、端子取り付け時に、電気化学セルの製品表示が任意の方向で供給されても、いずれか一方の製品表示が端子に隠れないようにするためである。したがって、製品表示が２箇所の場合には、１８０度の位置に配置するのが最も効果的である。
【００１３】
また、電極ケースに取り付ける端子の大きさは、電気化学セル直径Ｄに対して幅Ｗを、Ｗ≦０．５×Ｄ、とし、電極ケース底面部を覆う部分の長さＴを、Ｔ≦０．７５×Ｄ、とし、電極ケース底面上の端部コーナー形状がＲ状でＲ０．２５×Ｄ以下又はＣ面状でＣ０．２５×Ｄ以下とした。端子がこれ以上大きくなると製品表示が隠れやすくなり、コーナー部をＲ状又はＣ面状に削ることによって製品表示が隠れ難くなる効果がある。
【００１４】
なお、本発明における製品表示とは、前述の製品名、極性に限定されることはなく、メーカー名、メーカーロゴ、製造ロット番号、原産国表示などを含み、これらの中から、識別が必須な項目を選ぶものとする。
【００１５】
【実施例】
（実施例１）
本実施例では、直径４．８ｍｍ、厚さ１．４ｍｍの二次電池について、正極ケース１０１の底面に製品名及び極性を表示した製品を作製した。図１に本実施例の外観図を示す。図１（ｂ）に示すように、正極ケース１０１の底面に幅２．４ｍｍ、正極ケース底面部を覆う部分の長さ３．６ｍｍの端子１０２を溶接点１０３で溶接して比較した。本実施例の電池は、図１（ａ）に示したように、製品名及び極性の表示を製品表示の中心から正極ケース底面の中心までの距離が０．３２Ｄ（Ｄ；電池直径）となる位置にそれぞれ２箇所表示し、その２箇所はそれぞれ正極ケース底面の中心を基準にして１８０度回転させた位置とした。本実施例の電池に端子を取り付け後は、図１（ｂ）、（ｃ）及び（ｄ）に示すように、いずれの場合も少なくとも一方の製品名及び極性が識別できた。これに対して、従来品は、図２（ａ）で示すように、製品名及び極性の表示を表示中心から正極ケース底面の中心までの距離が０．３２Ｄとなる位置に１箇所のみ表示した。従来品に端子を取り付け後は、図２（ｂ）に示すように、製品表示が端子に隠れて見えなくなった。
【００１６】
（実施例２）
本実施例による電池を図３に示す。ここでは、直径４．８ｍｍ、厚さ１．４ｍｍの二次電池の正極ケース底面に、幅２．４ｍｍ、正極ケース底面部を覆う部分の長さ３．６ｍｍの端子を溶接した。図３（ａ）に示すように、製品表示の中心から正極ケース底面の中心までの距離が０．３２Ｄとなる位置の底面に１箇所、製品名及び極性の第一の表示を設けた。また、正極ケース底面の中心を基準にして反対側の位置、ここでは１８０度の位置の側面に第二の表示を設けた。すなわち、側面の表示を隠すように端子が取り付けられても底面の表示が見えるように（図３（ｂ））、底面の表示を隠すように端子が溶接されても側面の表示が見えるように（図３（Ｃ））、第一の表示と第二の表示位置は決められている。そのため、端子を取り付け後でも、図３（ｂ）及び（ｃ）に示すように、少なくとも一方の製品名及び極性が識別できた。
【００１７】
（実施例３）
本実施例では、直径４．８ｍｍ、厚さ１．４ｍｍの二次電池について、正極ケース底面の製品名及び極性の表示位置が、製品表示の中心から正極ケース底面の中心までの距離が０．３２Ｄ又は０．３Ｄとなるように製品を作製し、正極ケース底面に幅２．４ｍｍ、正極ケース底面部を覆う部分の長さ３．６ｍｍの端子を溶接して比較した。図１に示したように、表示位置が０．３２Ｄの場合、端子取り付け後でも少なくとも一方の製品名及び極性が識別できた。これに対し、図４に示したように、表示位置が０．３Ｄの場合、一部の表示が端子に隠れて見えなくなった。
【００１８】
（実施例４）
本実施例では、直径４．８ｍｍ、厚さ１．４ｍｍの二次電池について、正極ケース底面に製品名及び極性をそれぞれ２箇所表示した製品を作製し、正極ケース底面に幅２．４ｍｍ、正極ケース底面部を覆う部分の長さ３．６ｍｍの端子を溶接して比較した。なお、その２箇所は、正極ケース底面の中心を基準にして９０度あるいは１２０度の位置とした。図５（ａ）及び（ｂ）に示したように、表示を１２０度に配置した場合、端子取り付け後でも少なくとも一方の製品名及び極性が識別できた。これに対し、図５（ｃ）及び（ｄ）に示したように、９０度に配置した場合、一部の表示が端子に隠れて見えなくなった。
【００１９】
（実施例５）
本実施例では、直径４．８ｍｍ、厚さ１．４ｍｍの二次電池について、正極ケース底面に製品名及び極性をそれぞれ２箇所表示した製品（図６（ａ））を作製し、正極ケース底面に寸法の異なる端子を溶接して比較した。図６（ｂ）に示したように、端子の幅２．４ｍｍ、正極ケース底面部を覆う部分の長さ３．６ｍｍの場合、端子コーナー部の表示が一部欠けるものの表示の識別は可能であった。また、図６（ｃ）及び（ｄ）に示したように、図６（ｂ）と同様の端子のコーナー部形状をＲ１．２ｍｍ又はＣ１．２ｍｍとした場合、図６（ｂ）で認められた表示欠けがなくなり、識別がさらに容易になった。これに対して、図６（ｅ）に示したように、端子の幅２．６ｍｍ、正極ケース底面部を覆う部分の長さ３．８ｍｍの場合、表示が端子に隠され見えなくなった。
【００２０】
【発明の効果】
本発明は、以上説明したような形態で実施され、端子取り付け後に、製品表示の識別が容易なコイン型電気化学セルを提供できる。
【００２１】
なお、実施例では、二次電池について述べたが、一次電池やキャパシタなどの他の電気化学セルについても同様の効果があることは言うまでもなく、本発明の適用が可能である。
【図面の簡単な説明】
【図１】本発明の正極ケース底面部の製品表示例を示す図である。
【図２】従来の正極ケース底面の製品表示例を示す図である。
【図３】本発明の正極ケース底面部及び側面部の製品表示例を示す図である。
【図４】製品表示を底面中心側に寄せた場合の製品表示例を示す図である。
【図５】２箇所の製品表示の角度位置を変えた場合の製品表示例を示す図である。
【図６】正極端子の寸法、形状を変えた場合の製品表示例を示す図である。
【符号の説明】
１０１  正極ケース
１０２  正極端子
１０３  溶接点
１０４  負極ケース
【図１】
2004327281.tif 000003
【図２】
2004327281.tif 000004
【図３】
2004327281.tif 000005
【図４】
2004327281.tif 000006
【図５】
2004327281.tif 000007
【図６】
2004327281.tif 000008